(57)【特許請求の範囲】
【請求項１】
台紙にラベルが仮着されたラベル連続体をプリンタ本体に設けたプラテンローラおよび印字ヘッドを備えたラベル印字部からラベル剥離部へ順次搬送してラベルを前記ラベル剥離部で台紙から剥離し、剥離されたラベルをラベル剥離部からラベル取出口へ繰り出すと共に、前記台紙をプリンタ本体側に回転自在に固定された送りローラ、および前記送りローラに対向して設けられたプレッシャローラによって挟持して台紙巻取り軸側へ搬送するラベルプリンタであって、前記ラベル取出口が形成されるとともに、プリンタ本体に対し蝶番により水平面内で開閉自在に取付けられたフロントカバーと、前記フロントカバーとプリンタ本体との間に設けられるとともに、プリンタ本体に対し取付けピンにより水平面内で開閉自在とした取付けブラケットと、前記取付けブラケットに設けられ前記プリンタ本体よりの信号に基づいて回転するモータ、および前記モータを介して回転する前記プレッシャローラと、前記プリンタ本体に対し開閉自在とされたサイドカバーと、前記サイドカバーの開放により操作可能であり、かつ、前記フロントカバーとプリンタ本体との係合および解除を行うカバー開閉レバーと、を備え、前記サイドカバーを開放してのち前記カバー開閉レバーの解除操作により前記フロントカバーおよび取付けブラケットを水平面内で開放し、前記送りローラに対向するプレッシャローラを前記送りローラより離反することを特徴とするラベルプリンタのラベル送り装置。
【請求項２】
さらに、前記サイドカバーの開放により操作可能であり、かつ、前記印字ヘッドをプラテンローラに対して接離自在とするヘッド開閉レバーを備えることを特徴とする請求項１記載のラベルプリンタのラベル送り装置。
【発明の詳細な説明】
【０００１】
【発明の属する技術分野】
本発明はラベルプリンタのラベル送り装置にかかるもので、特にラベルを台紙より剥離して台紙を巻取るラベルプリンタのラベル送り装置に関するものである。
【０００２】
【従来の技術】
従来から、例えば特開昭６１−４７３３５号に示すように、台紙にラベルが仮着されたラベル連続体をプリンタ本体に設けたラベル供給軸に装着し、ラベル印字部からラベル剥離部へ順次移送し、印字されたラベルをラベル剥離部にて剥離し、ラベル取出口へ繰り出すようなラベルプリンタが知られている。
【０００３】
このようなラベル剥離部を備えるラベルプリンタでは、ラベル剥離部でのラベルの剥離性およびラベル取出口へのラベルの搬送、あるいはラベル剥離後の台紙の巻取りを円滑にするため、ラベル印字部より下流に送りローラとプレッシャローラから成るラベル送り装置を設け、この送りローラとプレッシャローラの間に台紙を挟持して台紙巻取り軸へ搬送することが行われている。
【０００４】
こうしたラベル送り装置を装備したラベルプリンタの場合、印字操作あるいはラベル連続体の操作にともないラベル連続体の紙詰まり、いわゆるジャミングが発生したときの処理が面倒であった。すなわち、ラベル剥離部の下流側に送りローラとプレッシャローラを設けてあるが、プリンタ本体に固定されており、ラベル印字部内あるいは送りローラとプレッシャローラの間でラベル連続体がジャミングした場合に、プレッシャローラを取り外すことが必要であり、作業が面倒なものであった。
【０００５】
更に、ジャミングとは別に、ラベル連続体をプリンタ本体に装着する場合にも、プリンタ本体に固定されていることもあって送りローラとプレッシャローラの間に帯状のラベル連続体を挿通する作業が意外に面倒なものであった。
【０００６】
【発明が解決しようとする課題】
本発明は以上のような諸問題に注目してなされたもので、送りローラとプレッシャローラの間におけるラベル連続体の紙詰まり、いわゆるジャミング時、あるいは装着時における処理を容易にすることができるラベルプリンタのラベル送り装置を提供することを課題とする。
【０００７】
【課題を解決するための手段】
本発明は、上記課題に注目してなされたものであって、前記ラベル取出口が形成されるとともに、プリンタ本体に対し蝶番により水平面内で開閉自在に取付けられたフロントカバーと、前記フロントカバーとプリンタ本体との間に設けられるとともに、プリンタ本体に対し取付けピンにより水平面内で開閉自在とした取付けブラケットと、前記取付けブラケットに設けられ前記プリンタ本体よりの信号に基づいて回転するモータ、および前記モータを介して回転する前記プレッシャローラと、前記プリンタ本体に対し開閉自在とされたサイドカバーと、前記サイドカバーの開放により操作可能であり、かつ、前記フロントカバーとプリンタ本体との係合および解除を行うカバー開閉レバーと、を備え、前記サイドカバーを開放してのち前記カバー開閉レバーの解除操作により前記フロントカバーおよび取付けブラケットを水平面内で開放し、前記送りローラに対向するプレッシャローラを前記送りローラより離反することを特徴とする。
さらに、前記サイドカバーの開放により操作可能であり、かつ、前記印字ヘッドをプラテンローラに対して接離自在とするヘッド開閉レバーを備えるようにできる。
【０００８】
【発明の実施の形態】
つぎに本発明の実施の形態によるラベルプリンタの送り装置を図１ないし図５に基づき説明する。
【０００９】
図１は、送り装置を具備したラベルプリンタ１の斜視図であって、プリンタ本体２、フロントカバー４、サイドカバー６とを有する。なお、フロントカバー４およびサイドカバー６を開放状態としてある。
【００１０】
フロントカバー４は、プリンタ本体２に対して蝶番５０により、水平面内で開閉自在にこれを取り付けてある。すなわち、図１における右方向にフロントカバー４を閉じるとプリンタ本体２に接近し、図１における左方向にフロントカバー４を開くとプリンタ本体２から離反するようになっており、サイドカバー６を開放したのち、カバー開閉レバー５２を操作することにより、フロントカバー４とプリンタ本体２との係合状態を解除および実現する。
【００１１】
また、フロントカバー４には、ラベル取出口５４が形成されている。
【００１２】
図２は、サイドカバー６を開放した状態のラベルプリンタ１の側面図であって、図１および図２に示すように、プリンタ本体２は、主に、ラベル供給軸８、台紙巻取り軸１０、リボン供給軸１２、リボン巻取り軸１４、ラベル印字部１６、ラベル剥離部１８および送り装置２０より成る。
【００１３】
ラべル供給軸８は、ラベルＬが台紙２２に仮着されたラベル連続体２４をロール状に保持して繰り出し可能にしてある。
【００１４】
台紙巻取り軸１０は、前記ラベル供給軸８から繰り出されたラベル連続体２４を巻取るための軸である。
【００１５】
リボン供給軸１２は、帯状のカーボンリボンＲをロール状に保持して繰り出し可能としてある。
【００１６】
リボン巻取り軸１４は、前記リボン供給軸１２から繰り出されたカーボンリボンＲを巻取るための軸である。
【００１７】
ラベル印字部１６は、プラテンローラ２６と印字ヘッド（サーマルヘッド）２８を有し、プラテンローラ２６の回転によりラベル連続体２４およびカーボンリボンＲを搬送するとともに、印字ヘッド２８に印字情報信号を供給してラベルＬに所定の印字情報を印字しラベル剥離部１８へ搬送するようになっている。
【００１８】
なお、ヘッド開閉レバー５６を操作することにより、印字ヘッド２８をプラテンローラ２６に対して接離（開閉）することができる。
【００１９】
ラベル剥離部１８は、ラベル印字部１６の下流の近傍にラベル剥離板３０を有するものであって、ラベル印字部１６と後述の送り装置２０との間においてラベル連続体２４の台紙２２の経路を鋭角に屈曲することにより、ラベルＬを自身の弾性力で台紙２２から剥離するようになっている。
【００２０】
送り装置２０は、主に、プリンタ本体２側に回転自在に固定された送りローラ３２と、取付けプラケット３４に回転自在に取り付けられたプレッシャローラ３６とから成る。
【００２１】
取付けプラケット３４は、プリンタ本体２に対して取付けピン３８により、水平面内で開閉自在にこれを取付けてあり、図１における左方向に開くとプリンタ本体２に固定された前記送りローラ３２から離反し、これとは逆に図１における右方向に閉じると送りローラ３２に対向する位置に接近し、プレッシャローラ３６を送りローラ３２に接触するようになっている。
【００２２】
また、取付けプラケット３４には、プレッシャローラ３６を回転させる図示せぬモータが取り付けられており、プリンタ本体２からの信号を接続ケーブル４０を介して受け取り、プレッシャローラ３６を回転させるようになっている。
【００２３】
こうした構成のラベルプリンタ１および送り装置２０において、ラベル連続体２４を装着する場合、サイドカバー６を図１のように開放し、更にフロントカバー４を開放する。
【００２４】
送りローラ３２の前面に位置決めされている取付けブラケット３４を、先に開いたフロントカバー４と同様、開いてプレッシャローラ３６を送りローラ３２から離反させると、送りローラ３２の前面が開放される。
【００２５】
ヘッド開閉レバー５６を操作することにより、印字ヘッド２８をプラテンローラ２６から離反し、印字ヘッド２８とプラテンローラ２６の間を開放する。
【００２６】
カーボンリボンＲをリボン供給軸１２に装着し、開放された状態の印字ヘッド２８とプラテンローラ２６の間に通し、リボン巻取り軸１４へ掛け回す。
【００２７】
次に、ラべル供給軸８にラベル連続体２４を装着し、印字ヘッド２８とプラテンローラ２６の間に通し、台紙巻取り軸１０へ掛け回す。このラベル連続体２４を台紙巻取り軸１０へ掛け回す際、送りローラ３２の前面が開放されているため送り装置２０への装着が容易なものである。
【００２８】
ラベル連続体２４の装着後、取付けブラケット３４を送りローラ３２側に接近してプレッシャローラ３６と送りローラ３２とによって台紙２２を挟持し、次にヘッド開閉レバー５６を操作して印字ヘッド２８をプラテンローラ２６に接触させ、フロントカバー４及びサイドカバー６を閉じると、ラベル連続体２４がラベルプリンタ１に装着されるものである。
【００２９】
ラベルプリンタ１の作動中、ラベル連続体２４のジャミングが発生した場合、サイドカバー６、フロントカバー４を開き、取付けブラケット３４を開くと、送りローラー３２の前面が開放されるため、詰まったラベル連続体２４の排出が容易なものである。
【００３０】
【発明の効果】
以上のように本発明によれば、サイドカバーを開放してのち前記フロントカバーおよび取付けブラケットを水平面内で開放し、前記送りローラに対向するプレッシャローラを前記送りローラより離反するようにしたので、ラベル連続体の装着が容易であるとともに、ラベル連続体の紙詰まりが発生した場合にも対処が容易である。
また、サイドカバーの開放により操作可能であり、かつ、前記印字ヘッドをプラテンローラに対して接離自在とするヘッド開閉レバーを備ええるようにすれば、印字ヘッドをプラテンローラより離反できるので、先の送りローラの前面が開放されることと相俟って、ラベル連続体のラベル印字部への装着が容易となる。
【図面の簡単な説明】
【図１】本発明の実施の形態によるラベル送り装置を装備したラベルプリンタの斜視図
【図２】同、サイドカバーを開放した状態のラベルプリンタの側面図
【図３】同、送り装置の部分拡大側面図
【図４】同、図３の矢示IV方向から見た送り装置部分の拡大説明図
【図５】同、送り装置の部分拡大平面図
【符号の説明】
Ｌ  ラベル
Ｒ  カーボンリボン
１  ラベルプリンタ
２  プリンタ本体
４  フロントカバー
６  サイドカバー
８  ラベル供給軸
１０  台紙巻取り軸
１２  リボン供給軸
１４  リボン巻取り軸
１６  ラベル印字部
１８  ラベル剥離部
２０  送り装置
２２  台紙
２４  ラベル連続体
２６  プラテンローラ
２８  印字ヘッド（サーマルヘッド）
３０  ラベル剥離板
３２  送りローラ
３４  取付けブラケット
３６  プレッシャローラ
３８  取付けピン
４０  接続ケーブル
５０  蝶番
５２  カバー開閉用レバー
５４  ラベル取出口
５６  ヘッド開閉レバー
【図１】
0003841899.tif 000002
【図２】
0003841899.tif 000003
【図３】
0003841899.tif 000004
【図４】
0003841899.tif 000005
【図５】
0003841899.tif 000006